(57)【要約】      （修正有）【課題】制気口の結露を抑制する。【解決手段】制気口２０は、額縁枠２２と、額縁枠２２内に設けられる整流板２６と、吸湿発熱繊維を有し、額縁枠２２及び整流板２６に設けられる吸湿発熱材３０，４０と、を備える。額縁枠及び整流板が結露したときに、吸湿発熱材の吸湿発熱繊維によって結露が吸湿される。【選択図】図２
2020183824.tif 000002
【特許請求の範囲】
【請求項１】
額縁枠と、
前記額縁枠内に設けられる整流板と、
を備え、
前記額縁枠及び前記整流板の少なくとも一方は、吸湿発熱繊維を含む吸湿発熱材を有する、
制気口。
【請求項２】
前記吸湿発熱材は、前記額縁枠、及び該額縁枠の内周部にある前記整流板に設けられる、
請求項１に記載の制気口。
【請求項３】
前記吸湿発熱材は、前記整流板の一方の側面に沿って設けられる、
請求項１又は請求項２に記載の制気口。
【発明の詳細な説明】
【技術分野】
【０００１】
本発明は、制気口に関する。
【背景技術】
【０００２】
額縁枠と、額縁枠と接続されるとともに冷気が通過する合成樹脂又はセラミックスからなる出口流路枠とを備え、額縁枠の結露が抑制されたライン型吹出口が知られている（例えば、特許文献１参照）。
【０００３】
また、ゼオライト又はシリカゲルからなる整流部品が吹出口に設けられ、加湿及び吸湿が可能な暖房装置が知られている（例えば、特許文献２参照）。
【先行技術文献】
【特許文献】
【０００４】
【特許文献１】特開平９−０６０９５８号公報
【特許文献２】特開平４−２４０３４５号公報
【０００５】
特許文献１に開示された技術では、額縁枠の結露が抑制されるものの、さらに結露を抑制するためには、改善の余地がある。
【発明の概要】
【発明が解決しようとする課題】
【０００６】
本発明は、上記の事実を考慮し、制気口の結露を抑制することを目的とする。
【課題を解決するための手段】
【０００７】
請求項１に記載の制気口は、額縁枠と、前記額縁枠内に設けられる整流板と、を備え、前記額縁枠及び前記整流板の少なくとも一方は、吸湿発熱繊維を含む吸湿発熱材を有する。
【０００８】
請求項１に係る制気口によれば、額縁枠と、額縁枠内に設けられる整流板とを備える。これらの額縁枠及び整流板の少なくとも一方は、吸湿発熱繊維を含む吸湿発熱材を有する。これにより、例えば、額縁枠及び整流板が結露したときに、吸湿発熱材の吸湿発熱繊維によって結露が吸湿（吸着）される。したがって、額縁枠及び整流板の結露が抑制される。
【０００９】
また、吸湿発熱繊維は、結露を吸湿すると発熱する。これにより、額縁枠及び整流板の温度が上昇するため、額縁枠及び整流板が結露し難くなる。したがって、額縁枠及び整流板の結露がさらに抑制される。
【００１０】
請求項２に記載の制気口は、請求項１に記載の制気口において、前記吸湿発熱材は、前記額縁枠、及び該額縁枠の内周部にある前記整流板に設けられる。
【００１１】
請求項２に係る制気口によれば、吸湿発熱材は、額縁枠、及び当該額縁枠の内周部にある整流板に設けられる。
【００１２】
ここで、例えば、制気口から室内に冷気が吹き出す場合、冷気の吹き出しに伴って室内の暖気が流動し、額縁枠、及び当該額縁枠の内周部に暖気が流れ込む。そのため、額縁枠、及び当該額縁枠の内周部にある整流板が結露し易くなる。
【００１３】
これに対して本発明では、額縁枠、及び当該額縁枠の内周部にある整流板に吸湿発熱材が設けられる。これにより、額縁枠、及び当該額縁枠の内周部にある整流板の結露を効率的に抑制することができる。
【００１４】
請求項３に記載の制気口は、請求項１又は請求項２に記載の制気口において、前記吸湿発熱材は、前記整流板の一方の側面に沿って設けられる。
【００１５】
請求項３に係る制気口によれば、吸湿発熱材は、整流板の一方の側面に沿って設けられる。
【００１６】
ここで、吸湿発熱材は、前述したように、整流板の結露を吸湿すると発熱する。これにより、整流板の一方の側面が加温されるため、当該側面の結露が抑制される。また、吸湿発熱材の熱は、整流板の一方の側面から整流板の他方の側面に伝達される。そのため、整流板の一方の側面だけでなく、整流板の他方の側面の結露も抑制される。
【００１７】
したがって、本発明では、整流板の両面に沿って吸湿発熱材を設ける場合と比較して、整流板の結露を抑制しつつ、吸湿発熱材の材料コストを削減することができる。
【発明の効果】
【００１８】
以上説明したように、本発明に係る制気口によれば、制気口の結露を抑制することができる。
【図面の簡単な説明】
【００１９】
【図１】一実施形態に係る制気口を下から見上げた平面図（下面図）である。
【図２】図１の２−２線断面図である。
【図３】一実施形態に係る制気口の変形例を示す図２に対応する断面図である。
【図４】一実施形態に係る制気口の変形例を示す図１に対応する平面図である。
【図５】一実施形態に係る制気口の変形例を示す図１に対応する平面図である。
【図６】図５の６−６線断面図である。
【図７】（Ａ）及び（Ｂ）は、一実施形態に係る吸湿発熱材の変形例を示す断面図である。
【図８】一実施形態に係る吸湿発熱材の変形例を示す斜視図である。
【発明を実施するための形態】
【００２０】
以下、図面を参照しながら、一実施形態に係る制気口について説明する。
【００２１】
（制気口）
図１には、本実施形態に係る制気口２０が示されている。図２に示されるように、制気口２０は、空調用空気（冷気又は暖気）を室内１０に吹き出す吹出口とされている。この制気口２０は、天井１２に形成された開口１４に設けられている。
【００２２】
制気口２０には、天井１２の裏側に設けられたダクト１６が接続されている。ダクト１６には、図示しない空調機が接続されている。これにより、空調機で生成された空調用空気（冷気又は暖気）が、ダクト１６を介して制気口２０から室内に吹き出しされる。
【００２３】
図１及び図２に示されるように、制気口２０は、Ｈ型又はＶ型とされている。この制気口２０は、額縁枠２２と、整流板２６と、吸湿発熱材３０，４０とを備えている。
【００２４】
（額縁枠）
額縁枠２２は、金属や樹脂等によって、矩形の枠状に形成されている。また、額縁枠２２は、天井１２に形成された開口１４の外周部に沿って配置されており、図示しないビスや接着剤等によって天井１２に固定されている。
【００２５】
図２に示されるように、額縁枠２２は、複数（本実施形態では、４本）のフレーム部２４を有している。各フレーム部２４は、断面Ｌ字形状に形成されている。このフレーム部２４は、側壁部２４Ａと、額縁部２４Ｂとを有している。
【００２６】
側壁部２４Ａは、天井１２の開口１４内に配置され、ダクト１６に接続されている。この側壁部２４Ａの開口１４側の端部（先端部）には、額縁部２４Ｂが設けられている。額縁部２４Ｂは、側壁部２４Ａの開口１４側の端部から天井１２の下面に沿って外側へ延出している。なお、各フレーム部２４には、後述する吸湿発熱材３０が設けられている。
【００２７】
（整流板）
図１に示されるように、複数の整流板２６は、額縁枠２２の内側に配置されている。また、複数の整流板２６は、金属や樹脂等によって、板状に形成されている。これらの整流板２６は、額縁枠２２の縦幅方向（矢印Ｙ方向）に沿って配置されるとともに、額縁枠２２の横幅方向（矢印Ｘ方向）に間隔を空けて配置されている。また、各整流板２６の長手方向の両端部は、額縁枠２２のフレーム部２４（図２参照）にそれぞれ接合されている。
【００２８】
複数の整流板２６は、板厚方向を額縁枠２２の横幅方向として配置されており、額縁枠２２の内側を仕切っている。これにより、隣り合う整流板２６の間に、空調用空気が流れる流路２８が形成されている。
【００２９】
なお、額縁枠２２の内周部にある整流板２６には、後述する吸湿発熱材４０が設けられている。また、各整流板２６は、長手方向を中心として回転可能とされている。これにより、図３に示す変形例で後述するように、額縁枠２２の軸方向Ｖに対する整流板２６の傾斜角度θが変更可能（調整可能）になっている。
【００３０】
（吸湿発熱材）
吸湿発熱材３０，４０は、吸湿発熱繊維を含んで形成されている。具体的には、吸湿発熱材３０，４０は、吸湿発熱繊維によって布状（シート状）に形成されている。吸湿発熱材３０は、額縁枠２２の各フレーム部２４に設けられている。
【００３１】
図２に示されるように、吸湿発熱材３０は、フレーム部２４の側壁部２４Ａ及び額縁部２４Ｂに沿って断面Ｌ字形状に屈曲されており、これらの側壁部２４Ａ及び額縁部２４Ｂに接着剤や、両面テープ等によって固定されている。
【００３２】
図１に示されるように、吸湿発熱材４０は、額縁枠２２の内周部にある整流板２６に設けられている。なお、以下では、説明の便宜上、額縁枠２２の横幅方向（矢印Ｘ方向）に並ぶ複数の整流板２６のうち、両側（両端）に配置された整流板２６を整流板２６Ａとし、これらの整流板２６Ａの間に配置された整流板２６を整流板２６Ｂとして区別する場合がある。また、整流板２６Ａ，２６Ｂを区別しない場合は、整流板２６とする。
【００３３】
両側の整流板２６Ａは、額縁枠２２の横幅方向両側の内周部に沿って配置されている。これらの整流板２６Ａには、吸湿発熱材４０が設けられている。吸湿発熱材４０は、整流板２６Ａの長手方向の一端側から他端側に亘って設けられている。
【００３４】
一方、複数の整流板２６Ｂの長手方向の両端部は、額縁枠２２の縦幅方向両側の内周部に配置されている。これらの整流板２６Ｂの長手方向の両端部には、吸湿発熱材４０がそれぞれ設けられている。
【００３５】
図１及び図２に示されるように、吸湿発熱材４０は、整流板２６Ａの両側の側面２６Ｓ１，２６Ｓ２のうち、一方の側面２６Ｓ１に重ねられた状態で接着剤や、両面テープ等によって固定されている。これと同様に、吸湿発熱材４０は、整流板２６Ｂの両端部の一方の側面２６Ｓ１に重ねられた状態で接着剤や、両面テープ等によって固定されている。
【００３６】
ここで、吸湿発熱繊維は、例えば、アクリレート系繊維等のように、高い吸放湿性を有する化学繊維や、天然繊維とされている。そのため、額縁部２４Ｂの各フレーム部２４が結露すると、吸湿発熱材３０に結露が吸着される。これと同様に、額縁枠２２の内周部にある整流板２６が結露すると、吸湿発熱材４０に結露が吸着される。
【００３７】
また、吸湿発熱繊維は、高い吸着熱発熱性を有している。そのため、吸湿発熱材３０，４０が結露を吸着すると、吸湿発熱材３０，４０が発熱し、額縁部２４Ｂの各フレーム部２４、及び額縁枠２２の内周部にある整流板２６が加温される。
【００３８】
（作用）
次に、本実施形態の作用について説明する。
【００３９】
図２に示されるように、例えば夏期等では、図示しない空調機で生成された冷気が、矢印Ｃで示されるように、ダクト１６及び制気口２０を介して室内１０へ吹き出される。この際、冷気は、隣り合う複数の整流板２６の間に形成された流路２８に沿って流れ、制気口２０から下方へ吹き出される。
【００４０】
この際、室内１０の暖気が流動し、矢印Ｗで示されるように、額縁枠２２、及び当該額縁枠２２の内周部に室内１０の暖気が流れ込む。ここで、額縁枠２２、及び整流板２６は、制気口２０を通る冷気によって冷却されている。そのため、額縁枠２２、及び当該額縁枠２２の内周部に室内１０の暖気が供給されると、額縁枠２２、及び当該額縁枠２２の内周部にある整流板２６が結露し易くなる。
【００４１】
この対策として本実施形態では、額縁枠２２、及び当該額縁枠２２の内周部にある整流板２６に吸湿発熱材３０，４０が設けられている。より具体的には、額縁枠２２、整流板２６Ａ、及び整流板２６Ｂの長手方向の両端部に吸湿発熱材３０，４０が設けられている。これにより、例えば、額縁枠２２が結露したときに、吸湿発熱材３０の吸湿発熱繊維によって結露が吸湿される。したがって、額縁枠２２の結露が抑制される。
【００４２】
これと同様に、整流板２６が結露したときに、吸湿発熱材４０の吸湿発熱繊維によって結露が吸湿される。したがって、整流板２６の結露が抑制される。
【００４３】
また、吸湿発熱材３０，４０の吸湿発熱繊維は、結露を吸湿すると発熱する。これにより、吸湿発熱材３０によって額縁枠２２が加温されるため、額縁枠２２が結露し難くなる。したがって、額縁枠２２の結露がさらに抑制される。
【００４４】
これと同様に、吸湿発熱材４０によって整流板２６が加温されるため、整流板２６が結露し難くなる。したがって、整流板２６の結露がさらに抑制される。
【００４５】
なお、吸湿発熱材３０，４０に吸湿された結露は、制気口２０を通る冷気によって吸湿発熱材３０，４０から放湿される。これにより、額縁枠２２や整流板２６が結露したときに、吸湿発熱材３０，４０が結露を再び吸湿可能になる。このように吸湿発熱材３０，４０が吸放湿を繰り返すことにより、額縁枠２２、及び当該額縁枠２２の内周部にある整流板２６の結露が長期的に抑制される。
【００４６】
さらに、本実施形態では、結露し易い額縁枠２２、及び当該額縁枠２２の内周部にある整流板２６に吸湿発熱材３０，４０が設けられている。これにより、制気口２０の結露を効率的に抑制することができる。
【００４７】
しかも、本実施形態では、整流板２６の一方の側面２６Ｓ１に吸湿発熱材４０が設けられている。ここで、吸湿発熱材４０は、前述したように、整流板２６の結露を吸湿すると発熱する。これにより、整流板２６の一方の側面２６Ｓ１が加温されるため、当該側面２６Ｓ１の結露が抑制される。また、吸湿発熱材４０の熱は、整流板２６の一方の側面２６Ｓ１から整流板２６の他方の側面２６Ｓ２に伝達される。そのため、整流板２６の一方の側面２６Ｓ１だけでなく、整流板２６の他方の側面２６Ｓ２の結露も抑制される。
【００４８】
したがって、本実施形態では、整流板２６の一方の側面２６Ｓ１及び他方の側面２６Ｓ２に吸湿発熱材４０をそれぞれ設ける場合と比較して、整流板２６の結露を抑制しつつ、吸湿発熱材４０の吸湿発熱繊維の材料コストを削減することができる。
【００４９】
（変形例）
次に、上記実施形態の変形例について説明する。
【００５０】
図３には、変形例に係る制気口２０が示されている。この制気口２０では、額縁枠２２の中央部にある複数（本変形例では３枚）の整流板２６が、額縁枠２２の軸方向Ｖに沿って配置されている。これにより、額縁枠２２の中央部では、矢印Ｃで示されるように、冷気が整流板２６に沿って下方へ吹き出される。
【００５１】
一方、額縁枠２２の内周側にある複数（本変形例では８枚）の整流板２６は、額縁枠２２の軸方向Ｖに対し、ダクト１６から額縁枠２２へ向かって額縁枠２２の外側へ傾斜されている。これにより、額縁枠２２の内周側では、矢印Ｃで示されるように、冷気が額縁枠２２の外側へ吹き出される。
【００５２】
この際、室内１０の暖気が流動し、矢印Ｗで示されるように、額縁枠２２、及び当該額縁枠２２の内周部に室内１０の暖気が供給されるとともに、額縁枠２２の中央部に暖気が供給される。この結果、額縁枠２２と、当該額縁枠２２の内周部及び中央部にある複数の整流板２６が結露し易くなる。
【００５３】
この対策として本変形例では、額縁枠２２、額縁枠２２の内周部及び中央部にある整流板２６に吸湿発熱材３０，４０がそれぞれ設けられている。これにより、制気口２０の結露を効率的に抑制することができる。
【００５４】
次に、上記実施形態では、制気口２０がＨ型又はＶ型とされている。しかしながら、図４に示される変形例のように、制気口５０は、ＶＨ型又はＨＶ型とされても良い。つまり、制気口５０では、複数の整流板２６が、額縁枠２２の軸方向から見て格子状に交差されている。この制気口５０では、額縁枠２２、及び当該額縁枠２２の外周部及び中央部にある整流板２６に吸湿発熱材３０，４０がそれぞれ設けられている。
【００５５】
また、図５及び図６に示される変形例では、制気口６０がブリーズ型（ライン型）とされている。この制気口６０は、全体として細長い長方形状に形成されている。この制気口６０では、例えば、額縁枠２２、及び複数の整流板２６の全てに吸湿発熱材３０，４０が設けられている。
【００５６】
次に、上記実施形態では、額縁枠２２のフレーム部２４に、吸湿発熱材３０が接着剤や両面テープ等によって固定されている。しかしながら、例えば、図７（Ａ）に示される変形例のように、額縁枠２２のフレーム部２４には、磁石３２を介して吸湿発熱材３０を固定しても良い。
【００５７】
これと同様に、図７（Ｂ）に示される変形例のように、整流板２６の一方の側面２６Ｓ１には、磁石４２を介して吸湿発熱材４０を固定しても良い。これにより、額縁枠２２や整流板２６に対する吸湿発熱材３０，４０の取り付けが容易になる。
【００５８】
なお、磁石３２，４２は、吸湿発熱材３０，４０に接着剤等によって予め固定されている。
【００５９】
次に、上記実施形態では、整流板２６の一方の側面２６Ｓ１に吸湿発熱材４０が設けられている。しかしながら、吸湿発熱材４０は、整流板２６の一方の側面２６Ｓ１及び他方の側面２６Ｓ２の両面に設けられても良い。この場合、整流板２６の結露をより確実に抑制することができる。
【００６０】
また、例えば、図８に示される変形例のように、吸湿発熱材７０を筒状に形成しても良い。具体的には、吸湿発熱材７０は、断面矩形状の筒状に形成されている。この吸湿発熱材７０の内部には、整流板２６が挿入されている。このように吸湿発熱材７０を筒状に形成することにより、吸湿発熱材７０を整流板２６に容易に取り付けることができる。
【００６１】
また、上記実施形態では、制気口２０の額縁枠２２及び整流板２６に吸湿発熱材３０，４０がそれぞれ設けられている。しかしながら、吸湿発熱材３０，４０は、制気口２０の額縁枠２２及び整流板２６の少なくとも一方に設けることができる。
【００６２】
また、上記実施形態では、金属や樹脂等によって形成された額縁枠２２及び整流板２６に吸湿発熱材３０，４０が設けられている。しかしながら、額縁枠や整流板は、吸湿発熱材を有していれば良く、額縁枠や整流板自体を吸湿発熱材によって形成されることも可能である。この場合、吸湿発熱材は、例えば、吸湿発熱繊維を樹脂等によって補強することにより形成される。
【００６３】
また、上記実施形態では、制気口２０が空調用の吹出口とされている。しかしながら、制気口２０は、例えば、空調用の吸込口であっても良いし、換気用の排気口や吸気口であっても良い。
【００６４】
また、上記実施形態では、制気口２０が天井１２に設けられている。しかしながら、制気口は、壁や床等に設けられても良い。
【００６５】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６６】
２０      制気口
２２      額縁枠
２６      整流板
２６Ａ    整流板
２６Ｂ    整流板
２６Ｓ１  側面（整流板の一方の側面）
３０      吸湿発熱材
４０      吸湿発熱材
５０      制気口
６０      制気口
７０      吸湿発熱材
【図１】
2020183824.tif 000003
【図２】
2020183824.tif 000004
【図３】
2020183824.tif 000005
【図４】
2020183824.tif 000006
【図５】
2020183824.tif 000007
【図６】
2020183824.tif 000008
【図７】
2020183824.tif 000009
【図８】
2020183824.tif 000010